(57)【要約】      （修正有）【課題】安全・簡便に使用できる温熱用具であって、皮膚の所望の部位に付着させることができ、任意の有効成分を効率よく皮膚に送達できる温熱用具、芳香成分の効果を長期保存によっても失わない、高い保存安定性を有する温熱用具、また、水平状態で使用しなくても使用中に落下する可能性が低く、安定感のある用具およびその使用方法を提供する。【解決手段】少なくとも一部に通気性を有する通気面および非通気面を有するシート状温熱体（Ａ）３と、水性組成物（Ｂ）と、キャリアシート（Ｃ）１とを含み、使用前には、少なくとも前記（Ａ）と（Ｂ）とが別々に気密性包装されており、使用時には、前記（Ａ）の非通気面に前記（Ｃ）が部分的に接合された状態で、前記（Ｃ）１に担持された前記（Ｂ）を顔面に接触させるように貼付することを特徴とする、顔面用温熱用具。【選択図】図３
2006198325.tif 000002
【特許請求の範囲】
【請求項１】
少なくとも一部に通気性を有する通気面および非通気面を有するシート状温熱体（Ａ）と、水性組成物（Ｂ）と、キャリアシート（Ｃ）とを含み、
使用前には、少なくとも前記シート状温熱体（Ａ）と水性組成物（Ｂ）とが別々に気密性包装されており、
使用時には、前記シート状温熱体（Ａ）の非通気面に前記キャリアシート（Ｃ）が部分的に接合された状態で、前記キャリアシート（Ｃ）に担持された前記水性組成物（Ｂ）を顔面に接触させるように貼付することを特徴とする、顔面用温熱用具。
【請求項２】
前記水性組成物（Ｂ）が予め前記キャリアシート（Ｃ）に担持されている、請求項１記載の温熱用具。
【請求項３】
前記シート状温熱体（Ａ）と前記キャリアシート（Ｃ）とが予め部分的に接合されている、請求項１記載の温熱用具。
【請求項４】
前記シート状温熱体（Ａ）、水性組成物（Ｂ）およびキャリアシート（Ｃ）が、各々別々に包装されている、請求項１記載の温熱用具。
【請求項５】
前記水性組成物（Ｂ）が、保湿成分、増粘成分、芳香成分、化粧料および／または医薬成分を含む水性溶液である、請求項１〜４のいずれか１項記載の温熱用具。
【請求項６】
前記水性組成物（Ｂ）の保持力が、ＪＩＳ  Ｚ０２３７  １３項により荷重３．２ｇを用いて６０℃で測定した場合に２０分以上である、請求項１〜５のいずれか１項記載の温熱用具。
【請求項７】
少なくとも一部に通気性を有する通気面および非通気面を有するシート状温熱体（Ａ）の非通気面に、水性組成物（Ｂ）を担持させたキャリアシート（Ｃ）を部分的に接合させて温熱用具を用意し、この温熱用具を前記キャリアシート（Ｃ）に担持された前記水性組成物（Ｂ）によって顔面に貼付することを特徴とする温熱用具の使用方法。
【発明の詳細な説明】
【技術分野】
【０００１】
本発明は、健康の維持または回復、美容などの目的のために有効な成分を、湿度および温熱を利用して所望の部位に適用するための用具および方法に関する。
【背景技術】
【０００２】
近年、肩こり、筋肉疲れ、目のしょぼつき・疲労などの症状に悩む人が増加している。従来、このような不快な症状は、軽い体操や、温湿布、暖めたもしくは冷たい濡れタオルなどによって一時的に軽快させることができる。しかし、机に向かった姿勢で長時間仕事をしている最中に生じやすく、従来の手段はそのような状況下でも使いやすいものとはいえない。
【０００３】
また、目の周辺部の乾燥、皮膚の乾燥に起因するトラブルも増えている。乾燥は肌の表面から水分を奪い、角層水分の減少と皮膚バリアを損傷する。これを繰り返すと肌表面の荒れが生じたり、皮膚内部の組織に影響を与え、美容上好ましくないシワの原因にもなる。したがって、皮膚表面を乾燥させないことは健康な肌状態を保つうえで大切であるが、気候の影響や屋内の空調施設の影響で空気中の湿度が適性に保たれないことが多い。
【０００４】
近年、美容液を不織布などに含浸させたウェット美容マスクが製品化されている。これは、水分補給効果および美容効果を感じさせ、肌をしなやかにするため、非常に好まれ汎用されている。しかし、このようなウェット美容マスクは水分を多く含んでいるため、効果は感じさせるが、皮膚から気化熱を奪い、外気温の低い冬場などは冷たくなり、ひんやりして心地よいものではなかった。むしろ外気が低いときは蒸しタオルのような熱気を与えるものが好まれるが、これは手間がかかる欠点がある。肌に直接接するウェット美容マスクを温める方法としては、マスクをビニール袋に入れ、お湯に漬けたり、電子レンジなどで直接温める方法があるが、ビニール袋から取り出し、皮膚に拡げるとせいぜい１０〜２０秒くらいしか温かさが持続せず、すぐに冷めてしまう。
【０００５】
さらに、このような手段により補水、保湿状態になった肌でも、薬剤のような成分を経皮吸収させることは困難であることも多い。このような場合に物理的に皮膚温を高めると、皮膚が柔らかくなり、毛穴が開き、経皮吸収がより増大する。通常、化粧料は常温度下で使うものがほとんどで、一部商品によってはお湯や電子レンジで温めて使用したり、逆に冷蔵庫で冷たくして使う場合が見られるが、肌に対する効果と熱による心地よさの両方を満たす商品は皆無であった。また、このような化粧品を採用する美容法も皆無であった。より効率的な美肌効果と心地よい使用感のある剤形は満足感の高い化粧料として常に求められている。
【０００６】
上記のような問題を解決するために、顔面用の粘着性発熱シートが提案されている（特許文献１）。これは、発熱シートの片面に、美容成分を含有させた粘着層を設け、この粘着層を顔面に貼付して使用するものである。この発熱シートは、温熱と美容成分とを顔面に同時に適用することはでき、貼付して使用することができる。しかし、粘着層が発熱シートと一体化されているため、顔面の細かい凹凸に対する追従性や凹凸の激しい部位への付着性が不充分であり、顔面の表情変化や話すなどの動きによって皮膚との間に隙間ができたり剥がれたりしやすい欠点があった。
【０００７】
また、特許文献２には、化学発熱を利用する水蒸気発生体に粘着剤層を設け、皮膚に貼付して用いる貼付剤であって、皮膚に接触する面に化粧料、薬剤などを含有する層を設けたものが記載されている。これはさらに水蒸気が同時に皮膚に適用される点で上記の発熱シートとは異なるが、顔面への貼付方式は同じであり、上記と同じ欠点を有する。
【０００８】
さらに、これらのように粘着層が発熱シートと一体化されている場合、化粧料とともに一般的によく用いられる芳香成分等が、長期間の保存中に発熱組成物に吸着され、その効果を失うため、保存安定性という点で充分なものではなかった。
【０００９】
【特許文献１】特開平１１−２９９８１８
【特許文献２】特開平１１−３４２１４７
【発明の開示】
【発明が解決しようとする課題】
【００１０】
本発明は、安全に、簡便に使用することができる温熱用具であって、皮膚の所望の部位に付着させることができ、任意の有効成分を効率よく皮膚に送達することができる温熱用具、芳香成分の効果を長期保存によっても失わない、高い保存安定性を有する温熱用具、また、水平状態で使用しなくても使用中に落下する可能性が低く、安定感のある用具およびその使用方法を提供することを目的とする。
【課題を解決するための手段】
【００１１】
本発明は、
（１）少なくとも一部に通気性を有する通気面および非通気面を有するシート状温熱体（Ａ）と、水性組成物（Ｂ）と、キャリアシート（Ｃ）とを含み、
使用前には、少なくとも前記シート状温熱体（Ａ）と水性組成物（Ｂ）とが別々に気密性包装されており、
使用時には、前記シート状温熱体（Ａ）の非通気面に前記キャリアシート（Ｃ）が部分的に接合された状態で、前記キャリアシート（Ｃ）に担持された前記水性組成物（Ｂ）を顔面に接触させるように貼付することを特徴とする、顔面用温熱用具；
（２）前記水性組成物（Ｂ）が予め前記キャリアシート（Ｃ）に担持されている、前記（１）記載の温熱用具；
（３）前記シート状温熱体（Ａ）と前記キャリアシート（Ｃ）とが予め部分的に接合されている、前記（１）記載の温熱用具；
（４）前記シート状温熱体（Ａ）、水性組成物（Ｂ）およびキャリアシート（Ｃ）が、各々別々に包装されている、前記（１）記載の温熱用具；
（５）前記水性組成物（Ｂ）が、保湿成分、増粘成分、芳香成分、化粧料および／または医薬成分を含む水性溶液である、前記（１）〜（４）のいずれか１項記載の温熱用具；
（６）前記水性組成物（Ｂ）の保持力が、ＪＩＳ  Ｚ０２３７  １３項により荷重３．２ｇを用いて６０℃で測定した場合に２０分以上である、前記（１）〜（５）のいずれか１項記載の温熱用具；および
（７）少なくとも一部に通気性を有する通気面および非通気面を有するシート状温熱体（Ａ）の非通気面に、水性組成物（Ｂ）を担持させたキャリアシート（Ｃ）を部分的に接合させて温熱用具を用意し、この温熱用具を前記キャリアシート（Ｃ）に担持された前記水性組成物（Ｂ）によって顔面に貼付することを特徴とする温熱用具の使用方法、
を提供する。
【発明の効果】
【００１２】
本発明の顔面用温熱用具は、温熱体部分を直接皮膚に貼付するものではなく、キャリアシートを介して貼付するので、このシートが柔軟性に富み、皮膚に付着し、長時間フィットすることにより、キャリアシートを通して長時間肌を温めることができるとともに、美容上または医学的に有効な補水・保湿作用および各種の薬効効果を効率よく発揮することができる。
【００１３】
また、本発明の顔面用温熱用具は、使用前は温熱体と水性組成物とが別々に包装されているため、温熱体に含まれる発熱組成物の成分と芳香成分とが保存中に接触せず、その結果、有効成分として用いられる芳香成分の効果を長期保存によっても失わず、高い保存安定性を発揮することができる。
【００１４】
また、本発明の温熱用具は、血流量、肌のうるおい効果（インピーダンス）、皮溝、皮丘の接写写真による肌改善効果、シワの伸び改善効果においても優れている。
【００１５】
また、本発明の温熱用具は、上記のような構成によって優れた付着性を示すので、使用中に肌から剥がれることなどが起こりにくく、顔を垂直に立てた状態でも使うことができる。
【００１６】
特に、水性組成物に保湿成分、増粘成分などを含有させたものは保持力が高くなるので、このように設計したものは温熱用具の自重や加熱乾燥に対する耐性が高く、３０分間以上の使用にもずり落ちがなく、肌にフィットしうる。
【発明を実施するための最良の形態】
【００１７】
以下、本発明について詳しく説明する。本発明の温熱用具は、第一の態様において、
（Ａ）  少なくとも一部に通気性を有する通気面および非通気面を有するシート状温熱体と、
（Ｂ＋Ｃ）  予め水性組成物を担持させたキャリアシートと
を含む。
【００１８】
また、第二の態様においては、本発明の温熱用具は、
（Ａ＋Ｃ）  少なくとも一部に通気性を有する通気面および非通気面を有するシート状温熱体およびそれに予め部分的に接合されているキャリアシートと、
（Ｂ）  水性組成物と
を含む。
また、第三の態様においては、本発明の温熱用具は、
（Ａ）少なくとも一部に通気性を有する通気面および非通気面を有するシート状温熱体と、
（Ｂ）  水性組成物と、
（Ｃ）  この組成物を担持させるためのキャリアシートと
を含む。第二、第三の態様の場合、水性組成物を、使用時にキャリアシートに担持させる。
【００１９】
いずれの態様においても、水性組成物を担持させたキャリアシートを、前記シート状温熱体の非通気面側に部分的に接合させた状態で、キャリアシートを皮膚面に貼付して用いることができる。
【００２０】
キャリアシートとしては、皮膚に適用するために必要な条件（柔軟性、肌ざわり、低刺激性など）を満たしており、組み合わせて使用される水性組成物を担持することができるものである限りにおいて、公知のシート状材料のいずれを用いてもよい。たとえば、材質としてはコットン、ポリエステル、パルプ、レーヨン、ポリプロピレンなどが挙げられ、これらを単独で、または２種以上の組み合わせで用いることができる。シートは単層であっても積層であってもよく、たとえば織布、不織布、多孔質シートなどがある。好ましくは不織布、特にレーヨン不織布である。
【００２１】
水性組成物は、水をベースとする組成物であって、前記キャリアシートに担持されうる形態であればよい。典型的には水性の溶液、懸濁液、乳化液などの液状の組成物であるが、ゲル状、クリーム状などであってもよい。また、水性組成物は、使用時に水に溶解させるような形態にしてもよい。
【００２２】
水性組成物には、好ましくは有効成分を含有させる。本発明に関して、「有効成分」とは、適用者に対して、特に適用部位の皮膚に対して、美容、治療、健康維持、心理的効果などの観点からみて何らかの有益な効果を与えうる成分を指す。したがって、一般的には、種々の美容上の有効成分（化粧料）、医薬的な有効成分（医薬成分）などが挙げられるが、心理的な心地よさを増大するような芳香成分（香料など）、着色剤なども用いられる。有効成分としては、たとえば、消炎剤、抗炎症剤、メラニン産生抑制剤、メラニン還元剤、脱色剤、メラニン排水促進剤、細胞賦活剤、抗酸化剤、酸化防止剤、角質溶解・剥離剤、皮脂抑制剤、保湿剤、エモリエント剤、皮脂分泌抑制・促進剤、紫外線吸収剤、制汗剤、血行促進剤、角質除去・柔軟剤、美白剤、抗アレルギー剤、ステロイドホルモン、免疫抑制剤、抗生物質などの化粧料薬剤、医薬品薬剤などがあり、具体的には、グリチルリチンおよびその誘導体、塩類、アラントイン、γ−オリザノール、パントテン酸および誘導体、コエンザイムＱ−１０などの補酵素、ラクトフェリン、フラボノイド類、カロチノイド類、サポニン類、ハイドロキノンおよび誘導体、各種ホルモン薬、ニトログリセリン、インシュリン、ヘパリン、カルニチン、インドメタシン、抗ヒスタミン剤、ニコチン酸および誘導体、オキセンドロン、ミノキシジル、冬虫夏草抽出液、ショウキョウチンキ、ゼリーエキス、卵黄エキス、カキエキス、シルク抽出液、イカスミ糖蛋白質液、アシタバエキス、アマチャエキス、アルニカエキス、アロエエキス、イチョウエキス、イラクサエキス、ウイキョウエキス、ウコンエキス、エイジツエキス、オウゴンエキス、オウバクエキス、オクラエキス、オトリギソウエキス、海藻エキス、カッコンエキス、カモミールエキス、カンゾウエキス、キウイエキス、クララエキス、グレープフルーツエキス、ケイヒエキス、クロレラエキス、ゲンチアナエキス、ゲンノショウコエキス、コウホネエキス、ゴボウエキス、コメヌカエキス、コンフリーエキス、サフランエキス、サンザンエキス、サンショウエキス、シイタケエキス、ジオウエキス、シコンエキス、シソエキス、シャクヤクエキス、ショウキョウエキス、シラカバエキス、スギナエキス、ステビアエキス、セイヨウノコギリソウエキス、セージエキス、セロリエキス、センキュウエキス、センブリエキス、チャエキス、チョウジエキス、チンピエキス、トウキエキス、トウニンエキス、ドクダミエキス、ニンジンエキス、ニンニクエキス、ノバラエキス、ヘチマエキス、バラエキス、ビワエキス、ブクリョウエキス、マツエキス、ムクロジエキス、マロニエエキス、メソロートエキス、ユキノシタエキス、ヨクイニンエキス、ヨモギエキス、ラベンダーエキス、レインエキス、ローズマリーエキス、ローマカミツレエキス、ワレモコウエキス、プエテリアミリフィカエキスなど；各種アミノ酸・ペプチドとしては、グリシン、アラニン、バリン、ロイシン、セリン、トレオニン、フェニルアラニン、トリプトファン、チロシン、シスチン、メチオニン、プロリン、ヒドロキシプロリン、アスパラギン酸、アスパラギン、グルタミン酸、グルタミン、アルギニン、ヒスチジン、リジン、γ−アミノ酪酸および上記��ミノ酸の各種誘導体、加水分解コラーゲン、加水分解ペプチド、加水分解エラスチン、カゼイン、グルタチオンなど；各種ビタミンとしては、ビタミンＡ、Ｂ１、Ｂ２、Ｂ６、Ｂ１２、Ｃ、Ｄ２、Ｄ３、Ｅ、Ｋ１、Ｋ２、Ｋ３、Ｐ、Ｅおよびそれらの誘導体が挙げられる。
【００２３】
この水性組成物は、さらに、保湿成分および／または増粘成分を含んでいることが好ましい。なお、本明細書および特許請求の範囲においては、特に断らない限り、「重量％」は組成物全体の重量を１００％とした百分率である。
【００２４】
基剤保湿成分としては、たとえばグリセリン、ジグリセリン、ポリグリセリン、プロピレングリコール、ジプロピレングリコール、１−３ブチレングリコール、ヘキシレングリコール、マルチトール、マンニトール、ソルビトール、キシリトール、トレハロース、ピロリドンカルボン酸ナトリウム、ポリグルタミン酸ナトリウム、乳酸ナトリウム、ポリ乳酸ナトリウム、ポリエチレングリコール、シュガー、果糖、でんぷん、ブドウ糖、乳糖、メチルグルコシドなどが挙げられる。水性組成物中の保湿成分の含有量は、好ましくは３重量％〜４０重量％とする。配合量が３重量％未満では、温熱適用中に保湿効果を十分発揮できずに、皮膚からキャリアシートが剥がれやすくなる可能性がある。また、４０重量％を超えると、使用感にベタつきが生じたり、吸水力が強くなりすぎて皮膚に水分を与えるどころか逆に皮膚から水分を吸収し、皮膚トラブルを起こす可能性が生じる。保湿成分のより好ましい含有量としては、５重量％〜２０重量％である。
【００２５】
増粘成分としては、たとえばヒアルロン酸ナトリウム、デルマタン硫酸ナトリウム、デキストリン、アルギン酸ナトリウム、カラギーナン、キサンタンガム、コーンスターチ、トラカントゴム、カゼイン、ポリビニルアルコール、ポリビニルピロリドン、メチルセルロース、ヒドロキシプロピルセルロース、キシラン、マンナン、ガラクタン、ペクチン、エクステンシン、アラビアゴム、プルラン、ポリアクリル酸ナトリウム、カルボキシビニルポリマー、粘土鉱物類（たとえばモンモリロナイト、ラポイナイト、ヴィーガムなど）などが挙げられる。水性組成物中の増粘成分の含有量としては、０．００５重量％〜１０重量％が好ましい。０．００５重量％未満では水性組成物の増粘性を向上させる効果が期待できず、したがって、キャリアシートに担持させた場合、シートの皮膚への付着性が十分発揮できないことになる。また、１０重量％を超えると水性組成物が粘調性になりすぎ、キャリアシートに担持させる際などの操作性が悪くなるうえ、使用上快適性が得られにくくなる可能性がある。
【００２６】
水性組成物中の保湿成分および増粘成分の合計は、たとえば３重量％〜３５重量％であることができる。
【００２７】
本発明の温熱用具は、水性組成物によって皮膚に貼付されることをひとつの特徴とする。本発明において使用される水性組成物は、保持力が高いことが好ましい。たとえば、保持力は、２０分以上であることが好ましい。
【００２８】
２０分未満であると、使用中のキャリアシートの付着性が劣るうえ、使用中の水分の蒸発が起こりやすく、温熱用具が皮膚から剥がれやすくなる。
【００２９】
水性組成物の保持力は、より好ましくは３０分以上であり、さらに好ましくは、４０分以上である。なお、保持力は、使用するキャリアシートの材質等によっても影響を受ける。
【００３０】
前記の保持力の測定法は、基本的にＪＩＳ  Ｚ０２３７  １３項「保持力試験方法」による。ただし、試料の調製および圧着は室温で行い、粘着対象としてはステンレス鋼板、荷重は３．２ｇを採用し、保持中の環境は６０℃／相対湿度３０％の恒温恒湿槽中とする。なお、３．２ｇの荷重は、ボランティアにおける使用落下試験による結果と最も相関が高かった。
【００３１】
さらに具体的には、以下のようにして測定を行う。試験板のＳＵＳ板として、厚さ２ｍｍ×幅５０ｍｍ×長さ１１０ｍｍのＳＵＳ３０４鋼板を２８０番の耐水研磨紙で磨いたものを用意し、その表面を、エタノールを滲み込ませたガーゼで拭き、さらに乾いたガーゼで乾燥するまで拭くことにより予め洗浄しておく。幅２５ｍｍ×長さ１５０ｍｍの大きさのキャリアシートに、水性組成物を含浸または塗布などにより担持させたものを試験片とし、この試験片を、前記の試験板の一端に、試験片の２５ｍｍ×２５ｍｍの面積が接するように貼り付け、貼り付けていない部分は粘着面を内側にして折り重ねる。試験片の上からゴム製ローラー（幅約４５ｍｍ、直径（厚さ６ｍｍのゴム層を含む）約１００ｍｍ、質量２０００±５０ｇ）を速度３００ｍｍ／ｍｉｎで一往復させ、試験片を圧着する。直ちに６０℃の恒温槽内に試験板を入れ、試験片が垂直に垂れ下がるようにし、折り重ねた部分に荷重３．２ｇを取り付け、落下するまでの時間を計測する。（あるいは、所定の時間経過後に、ずれ距離を測定することもある。）
【００３２】
本発明の温熱用具においては、水性組成物は、キャリアシートとは別に保存されていてもよく、その場合は使用時にキャリアシートに担持させることになる。また、水性組成物は、予めキャリアシートに担持させた状態で提供されてもよい。キャリアシートに水性組成物を予め担持させた状態で提供する場合、水性組成物は、キャリアシートの重さの２〜８倍量を担持させることが好ましい。２倍未満であると組成物が十分シートに行き渡らず、皮膚への付着性または密着性（フィット性）も弱くなるため、使用中にずり落ちる可能性がある。また、８倍を超えると液ダレが発生しうるため、好ましくない。担持させる量の好ましい範囲は、キャリアシート重量の４〜７倍であり、５〜７倍が特に好ましい。
【００３３】
キャリアシートに水性組成物を予め担持させていない状態で提供する場合も、提供する水性組成物の量は上記と同様であることが好ましい。
【００３４】
水性組成物中には、さらに、通常化粧品に配合できる薬剤（たとえば保存料、ｐＨ調整剤、キレート剤など）、各種薬効性成分、色材、賦形性成分などを任意に配合することができる。
【００３５】
シート状温熱体は、所望の温熱を安定的に発生するものであればよく、その発熱メカニズムを問わない。一般には、空気中の酸素と接触して発熱する発熱組成物が、少なくとも一部に通気性を有する通気面および非通気面を有する袋の中に封入されているものが使用の簡便性などの点から好ましい。たとえば、発熱組成物として鉄粉、亜鉛末などの金属粉、珪藻土、活性炭、塩水などを適宜配合した粉末を用意し、これを、片面が通気性シート、もう一方の面が非通気性シートで構成される扁平な袋体に所定量入れて開口部をシールして製造することができる。この袋体は、発熱組成物を収容する部分（気室）を複数有するように設計してもよい。このような温熱体に使用される発熱組成物、通気性シート、非通気性シートなどについては充分に公知であり、当業者であれば、所望の温熱を安定的に供給しうる温熱体を適宜設計することができる。
【００３６】
また、このようなタイプの温熱体は、使用時までは空気との接触を遮断する必要があるため、一般に、酸素透過性のないアルミニウム、ＰＥＴフィルムなどの外袋に封入して保存される。このようにして数年単位の長時間保存することができる。本発明に関して、「気密性包装」する（される）という場合、包装の内外で気体の移動が実質的に遮断されており、包装の内容物が、包装の外の酸素、水蒸気などの気体の影響を実質的に受けないように包装する（される）ことを意味する。
【００３７】
本発明に使用されるシート状温熱体は、上記のように通気性を有する面と非通気性の面とを有するように構成され、使用時は、非通気性の面を皮膚側、すなわち通気面を外側に向けられることが好ましい。これは、このような方向性にした方が温熱体の温度安定性がよくなるためである。
【００３８】
本発明に使用されるシート状温熱体は、本発明の温熱用具の使用時において皮膚面を、一般には、３５〜４５℃の温度、好ましくは３８〜４２℃の温度にしうることが望ましい。また、この温度の持続時間としては、一般には、１０分〜６０分程度であることが望ましいが、それ以上であってもよい。当業者は、適用箇所および使用目的に応じて適宜最適な温度および持続時間を選択することができる。たとえば、発熱温度は透湿度等によって制御されるので、当業者は、適宜、所望の温熱体をもたらす透湿度を選択することができる。たとえば、通気性面を構成する材料の透湿度（本発明に関してはすべてＪＩＳ  Ｋ７１２９法による測定値である）としては、５００〜２５００ｇ／ｍ２・ｄａｙが好ましく、特に目の周囲に使用する場合は７００〜９００ｇ／ｍ２・ｄａｙ、その他の部位に使用する場合は１０００〜２０００ｇ／ｍ２・ｄａｙが好ましい。
【００３９】
なお、温熱体の発熱温度としては上記の所望の皮膚温度よりは高く設計する必要があり、たとえば皮膚温度を３８〜４２℃にて３０〜５０分間持続できるようにするためには、温熱体は、４５℃以上、たとえば４８〜５５℃で３０〜５０分間発熱持続できるように設計される。
【００４０】
シート状温熱体は、使用時に水性組成物を担持させたキャリアシートと部分的に接合されてもよく、予め水性組成物を担持させるためのキャリアシートと部分的に接合されていてもよい。この「部分的な接合」が、本発明の温熱用具のひとつの特徴である。ここで、「部分的」とは、温熱体の非通気面の面積のすべて（すなわち全面）ではないことを意味する。この接合が部分的であることによって、キャリアシートが皮膚に付着することが可能になり、この付着の結果として温熱体の保持も可能になる。
【００４１】
接合部分の形状は、点状、線状、面状などのいずれであってもよい。したがって、シート状温熱体は、さらに、水性組成物を担持させたキャリアシートを部分的に接合するための接合手段を非通気面側に有していてもよい。この接合手段は、キャリアシートを部分的に、すなわちキャリアシートの全面ではなく一部を、温熱体に付着させうるものであることが必要であり、この条件が満たされる限りにおいて特に制限されない。具体的には、たとえば、温熱シートの非通気面に１箇所または数箇所の固定部位を設け、この固定部位において面ファスナー、粘着剤、ポリビニルピロリドン（ＰＶＰ）などを用いてキャリアシートと接合してもよい。また、水性組成物含浸キャリアシートとプラスチックフィルムとのぬれ性による付着などを利用してキャリアシートが接合されるようにしてもよい。たとえば、温熱シートの周縁部に数個の面ファスナー片を取り付けておいたり、予め水溶性樹脂を塗布、乾燥させておき、キャリアシートに担持された水性組成物と接したときに溶けて付着するようにしたりすることができる。このような接合手段は、場合によってはキャリアシートに設けてもよく、あるいは温熱体とキャリアシートとの両方に設けてもよい。なお、本発明に関して接合とは、本発明の温熱用具の使用中に付着している状態を保つことを意味し、必ずしも物理的に分離不能な状態にすることを意味しない。むしろ、使用する材質によっては、使用後の分別廃棄のために着脱可能である方が好ましい。
【００４２】
本発明の温熱用具は、水性組成物が担持されたキャリアシートを、シート状温熱体の非通気面側に重ね合わせて、非通気面側に部分的に接合させた状態で適用箇所の皮膚に載せて付着させる。キャリアシートに水性組成物を担持させるのは、シート状温熱体にキャリアシートを接合する前でも後でもよい。皮膚の適用箇所は任意であるが、本発明の利点を最もよく利用しうる箇所としては、凹凸の複雑または多い箇所、たとえば顔面が挙げられる。特に、眼の周囲および／または鼻の部分は通常の温熱用具の付着が困難であるので、本発明の温熱用具が有利である。また、本発明の温熱用具は、眼の周囲に適用する場合、眼鏡型の形状に設計すれば、温熱用具の使用中も落下を気にすることなしに眼を開けた状態で通常の作業を続けることができる。
【００４３】
本発明の温熱用具を製造するには、まず、水性組成物、キャリアシート、およびシート状温熱体を用意する。これらのそれぞれの製造方法は、それぞれの技術分野における当業者には充分公知である。水性組成物とキャリアシートとは、それぞれ個別に包装してもよく、水性組成物をキャリアシートに担持させた状態で包装してもよい（図１）。後者の場合、水性組成物は、キャリアシートに含浸させるか、塗布するなどして均一に担持させることが好ましい。水性組成物単独、または水性組成物を担持させたキャリアシートは、一般に、アルミフィルムやポリエチレンフィルムなどの非透水性フィルムでパウチ包装されると、効果を損なわずに保存するうえで有利である。温熱体は、これらとは別に上述のように気密性包装される（図２）。一方、図３に示すように、温熱体に、キャリアシートを接合した状態で保存してもよい。この場合、キャリアシートは水性組成物が担持されていないものであって、別に水性組成物を提供するようにしてもよい。また、担持されている水性組成物を乾燥状態としておいて、使用時に水を加えて水性組成物を再構成するようにしてもよい。
【００４４】
これらのそれぞれ個別に包装された本発明の温熱用具の構成要素は、使用時に包装から取り出し、一緒にされる。組立後の温熱用具においては、水性組成物を担持するキャリアシートがシート状温熱体の非通気面に部分的に接合されている。この状態の温熱用具を、キャリアシート側を適用箇所の皮膚に貼付することによって使用が開始される（図４）。
【００４５】
以下、本発明の温熱用具の製造例を具体的に説明する。また、本発明の温熱用具により得られる効果を、試験例を示して説明する。本発明はこれらの例に限られたものではない。
【実施例】
【００４６】
実施例１
キャリアシートは、レーヨン不織布（５０ｇ／ｍ２）を、鼻部に高さ方向３０ｍｍ×幅方向２０ｍｍの切り込みのある２００ｍｍ×６７．５ｍｍの大きさに打ち抜いて作製した（図５）。このシートの重量は０．６７ｇであった。
【００４７】
シート状温熱体作製用の包材として、通気面には、ナイロン不織布（４０ｇ／ｍ２）とポリエチレン（ＰＥ）多孔質フィルム（４０μｍ）とのラミネート品である通気性シート（通気度１５０００秒／１００ｃｃ；透湿度８２０ｇ／ｍ２・ｄａｙ）を、非通気面には、レーヨン不織布（５５ｇ／ｍ２）とＰＥ４０μｍとの積層品である非通気性シートを、それぞれ用いた。これらの包材を２００ｍｍ×６７．５ｍｍの大きさにしたものを、温熱用具１個につき各１枚用意した。
【００４８】
発熱組成物の組成は、鉄粉６０重量部、活性炭６重量部、保水材（バーミキュライト）１０重量部、水２１重量部、食塩３重量部であった。
【００４９】
上記で用意した通気性シートおよび非通気性シートを、それぞれの不織布側を外側にして重ね合わせ、２００ｍｍの長辺部２箇所およびそれと直行する中央の位置の１箇所をＨ字型にヒートシールした。
【００５０】
裏面に接着剤を塗布した面ファスナー（住友スリーエム製）を幅５ｍｍ×長さ２５ｍｍの大きさに切断し、非通気面側の長辺（２００ｍｍ）の１／４の長さの位置と、それぞれの面ファスナーの長手方向中心とを合わせて、上下左右のシール部上に合計４箇所接着した。面ファスナー裏面を非通気性シートの不織布側に接着した。
【００５１】
ヒートシールによって形成された袋状部分２箇所に、発熱組成物を１０ｇずつ入れて、開口部（包材短辺６７．５ｍｍ長）２箇所をシールし、２気室の温熱体を作製した。なお、上記においてシール幅はそれぞれ５ｍｍであった。
【００５２】
この温熱体は、製造後ただちにＯＰＰ／Ｋコート製の気密性袋に収納し、ヒートシールにて密閉して、使用時まで室温で保存した。
【００５３】
水性組成物としては、表１に示すものを、温熱用具１個あたり４．０２ｍｌ（キャリアシート質量の６倍に相当）、先に用意したキャリアシートに含浸させた。この水性組成物を含浸させたキャリアシートをアルミ防湿袋（内面ＰＥシーラントコート）に収納し、ヒートシールにて密閉した状態で使用時まで室温で保存した。
【００５４】
使用時には、それぞれ外袋を開封してこれらの温熱体とキャリアシートとを取り出し、温熱体の非通気面に設けられた面ファスナーにキャリアシートを接合して、キャリアシート側を顔面に装着して使用した。
【００５５】
【表１】
2006198325.tif 000003
【００５６】
実施例２
実施例１と同様にして温熱用具を製造した。ただし、以下の点が異なっていた。
（１）キャリアシートとしては、レーヨン不織布（５０ｇ／ｍ２）、温熱体の通気面を構成する包材としては、ポリエステル不織布（４０ｇ／ｍ２）／ＰＥ多孔質フィルム（４０μｍ）のラミネート品である通気性シート（通気度９０００秒／１００ｃｃ；透湿度８７０ｇ／ｍ２・ｄａｙ）、非通気面には、線状低密度ＰＥ（ＬＬＤＰＥ）フィルム（８０μｍ）を、それぞれ用いた。
（２）キャリアシートと温熱体との接合方法として、面ファスナーではなく、水性組成物による付着を採用した。具体的には、表面が平滑なＬＬＤＰＥフィルムと水性組成物を含浸させたレーヨン不織布とを直接接触させ、両者間隙の水性組成物の存在による付着により部分的に接合した。
【００５７】
実施例３
実施例１と同様にして温熱用具を製造した。ただし、以下の点が異なっていた。
（１）温熱体の通気面を構成する包材としては、ナイロン不織布（３５ｇ／ｍ２）／ＰＥ多孔質フィルム（５０μｍ）のラミネート品である通気性シート（通気度１００００秒／１００ｃｃ；透湿度７５０ｇ／ｍ２・ｄａｙ）を用いた。
（２）キャリアシートと温熱体との接合方法として、面ファスナーではなく、ポリビニルピロリドン（ＰＶＰ）を採用した。具体的には、まず、粉末状ＰＶＰ（ＢＡＳＦ社Ｌｕｖｉｔｅｃ  Ｋ９０  Ｐｕｌｖｅｒ）と精製水とを１：３の重量比で混合、撹拌し、溶液とした。これを実施例１と同様に非通気性シートの不織布面（実施例１の面ファスナー接着箇所と同一箇所、同一寸法）に、１箇所あたり０．１５ｇづつ塗布した後、５０℃の乾燥機にて６０分間乾燥し水分を気化除去したものを予め準備した。この非通気性シートを用いて温熱体を作製した。使用時には、ＰＶＰ塗布部を水性組成物含浸キャリアシートで押えることにより、水性組成物の水分をＰＶＰに吸収させ、キャリアシートと接合した。
【００５８】
実施例４および５
実施例１と同様にして温熱用具を製造した。ただし、水性組成物として、前記の表１に示す組成の化粧水を使用した。
【００５９】
比較例１
実施例１と同様にして温熱用具を製造した。ただし、水性組成物の代わりに、精製水を使用した。
【００６０】
試験例１
実施例１〜５および比較例１で作製した温熱用具について、発熱特性を調べた。
具体的には、各構成要素を接合して温熱用具を構成し、室温２４〜２５℃にて、３５℃に維持した温水循環式塩ビ製温熱盤上に、薄型の小型白金測温抵抗体（表面温度測定用測温抵抗体、型番Ｒ０６０−３２（株式会社チノー製））を取り付け、この上に測定対象物の温熱用具などを設置（熱盤表面が皮膚側に相当するようにそれぞれ設置）した。この測定対象物を、周囲空間を確保したうえでアクリル製の保温ケースで覆い、それぞれの温度をハイブリッドレコーダー（打点式、型番ＡＨ  ３７２５  Ｎ００（株式会社チノー製））にて経時的に記録した。
【００６１】
なお、温水循環式塩ビ製温熱盤は、恒温水槽（サーモメイト  ＢＦ２００（ヤマト科学株式会社製）、温度調節精度±０．０５〜０．１℃；使用設定温度３８℃（塩ビ盤面が３５℃となるように温度を調整した）、恒温水面が一定になるよう必要に応じて随時給水）と連結し（送水ポンプ、型番ＭＤ−６Ａ（株式会社イワキ製）、最大吐出量８Ｌ／ｍｉｎ；配管：外径約１８ｍｍ塩ビ配管（ＪＩＳ  Ｋ６７４１、呼び径１３ｍｍ）、内部に温水を通水することにより盤面全体を３５℃に維持した塩ビ板製中空盤（８ｍｍｔ、寸法６１５×４１０×６０ｍｍ（Ｗ×Ｄ×Ｈ））に、保温ケース（材質アクリル５ｍｍｔ、寸法６５０×４５０×３００ｍｍ（Ｗ×Ｄ×Ｈ）；下方向開放）を被せたものを使用した。
【００６２】
試験例２
実施例１〜５および比較例１で作製した本発明の温熱用具を、ボランティアの目元に装着した状態での温度特性および使用感などを調べた。
具体的には、ボランティアを室温２５℃程度の室内で着座安静状態とし、温熱用具の各構成要素を外袋から取り出して接合して、ボランティアの両目を覆うように本発明の温熱用具を装着し、両まぶたの上に設置したセンサー（被覆熱伝対（ＣＡ線／線径０．１ｍｍ）の先端を接合したもの；いわゆるＫ熱伝対）およびこれらと連結したレコーダー（プログラマブルペンレコーダー  ＨＲ４３００、株式会社理化電機製）を用いて１分毎の温度を測定した。ボランティアは、普通に椅子に座って背筋伸ばした姿勢であり、顔面を特に上または下に向けることはなくほぼ垂直に保った状態で、１時間後に温熱用具をはずすまでの間の使用感などを評価した。
【００６３】
試験例３
実施例１〜５および比較例１で製造した本発明の温熱用具について、前記の方法にしたがって保持力を試験した。
これらの各試験の結果を表２にまとめて示す。
【００６４】
【表２】
2006198325.tif 000004
【００６５】
これらの結果から、本発明の温熱用具は、いずれのシート状温熱体、いずれのキャリアシート、いずれの部分接合手段を用いても、心地よい温感が得られるとともに安定的に使用でき、リラックス感と肌の潤い効果を得られることが確認された。
【００６６】
また、本発明の温熱用具は、いずれの水性組成物を使用していても、ボランティアの使用中２０分間以上落下することなく垂直に保たれた顔面に保持され、キャリアシートの付着性は充分であったと判断された。また、水性組成物中に保湿成分などを含有しているものは、特に付着性が良好であった。
【図面の簡単な説明】
【００６７】
【図１】本発明の温熱用具の構成要素のうち、気密性外袋に包装されたキャリアシートの断面図である。
【図２】本発明の温熱用具の構成要素のうち、図１に示すキャリアシートと組み合わせて使用される、気密性外袋に包装されたシート状温熱体の断面図である。
【図３】本発明の温熱用具の構成要素のうち、別途用意される水性組成物と組み合わせて使用される、気密性外袋に包装されたキャリアシートおよびシート状温熱体の断面図である。
【図４】本発明の温熱用具のヒト皮膚への装着方法の一例を示す図である。
【図５】本発明のキャリアシートの形状の一例を示す平面図である。
【符号の説明】
【００６８】
１  キャリアシート
２  気密性外袋
３  シート状温熱体
４  通気性シート
５  発熱組成物
６  非通気性シート
７  接合手段
【図１】
2006198325.tif 000005
【図２】
2006198325.tif 000006
【図３】
2006198325.tif 000007
【図４】
2006198325.tif 000008
【図５】
2006198325.tif 000009